(57)【要約】【課題】墓石や墓碑、灯篭等の重量物を、木枠等や発泡スチロールや古紙等を再生して成形した緩衝材等の使用を最小限にとどめて搬送することができ、しかも多くの備品を繰り返し使用することが可能で、梱包作業や開封作業を簡略化できるようにすることにより、極めて安価で、また環境にもやさしい石材等の重量物の搬送方法を提供することを目的とする。【解決手段】パレット上に耐水性シート類を少なくとも２枚敷設し、その上に搬送対象物を搭載して第１の耐水性シート類で搬送対象物を包み込み、ついでパレットの周囲に側壁を組み立てて第２の耐水性シート類を側壁の内側に沿って立ち上げ、第２の耐水性シート類で漏水を防止した側壁内に凍結液を注入し、冷凍手段で搬送対象物を取り囲む凍結液を凍結させて得た、搬送対象物入り凍結ブロックを冷凍コンテナ等で搬送するようにしたことを特徴とする石材等の重量物の搬送方法。【選択図】      図１
2006044792.tif 000002
【特許請求の範囲】
【請求項１】
パレット上に耐水性シート類を少なくとも２枚敷設し、その上に搬送対象物を搭載して第１の耐水性シート類で搬送対象物を包み込み、ついでパレットの周囲に側壁を組み立てて第２の耐水性シート類を側壁の内側に沿って立ち上げ、第２の耐水性シート類で漏水を防止した側壁内に凍結液を注入し、冷凍手段で搬送対象物を取り囲む凍結液を凍結させて得た、搬送対象物入り凍結ブロックを冷凍コンテナ等で搬送するようにしたことを特徴とする石材等の重量物の搬送方法。
【請求項２】
パレット上に耐水性シート類を少なくとも２枚敷設し、その上に搬送対象物を搭載して第１の耐水性シート類で搬送対象物を包み込み、ついでパレットの周囲に側壁を組み立てて第２の耐水性シート類を側壁の内側に沿って立ち上げ、第２の耐水性シート類で漏水を防止した側壁内に凍結液を注入し、冷凍手段で搬送対象物を取り囲む凍結液を凍結させ、冷凍完了後に側壁を解体して得た搬送対象物入り凍結ブロックを冷凍コンテナ等で搬送するようにしたことを特徴とする石材等の重量物の搬送方法。
【請求項３】
第１の耐水性シート類で搬送対象物を包み込んだ際に、その内部の空気を吸引・脱気して第１の耐水性シート類を搬送対象物に密着させるようにしたことを特徴とする請求項１または２に記載の石材等の重量物の搬送方法。
【請求項４】
パレット上に搬送対象物を搭載した上、パレットの周囲を取り囲むように製氷枠を組み立て、予め所定の形状に成形した耐水性シート類で搬送対象物を上から被覆し、耐水性シート類で漏水を防止した側壁内に凍結液を注入し、冷凍手段で搬送対象物を取り囲む凍結液を凍結させ、その後製氷枠および外面に露出した耐水性シート類を取り除いて、搬送対象物入り凍結ブロックを冷凍コンテナ等で搬送するようにしたことを特徴とする石材等の重量物の搬送方法。
【請求項５】
搬送終了後は、自然解凍または強制解凍により凍結した凍結液を融解するようにしたことを特徴とする請求項１ないし４のいずれかに記載の石材等の重量物の搬送方法。
【発明の詳細な説明】
【技術分野】
【０００１】
この発明は、墓石や墓碑、灯篭等の重量物を搬送する際に適用される石材等の重量物の搬送方法に関するものである。
【背景技術】
【０００２】
従来、墓石や墓碑、灯篭等の重量物を搬送する場合、一つずつ木枠等の梱包材で梱包するか、複数個をまとめて木枠等の梱包材で梱包した上、コンテナ等で搬送するようにしている。その際、木枠等と墓石や墓碑、灯篭等の隙間に発泡スチロールや古紙等を再生して成形した緩衝材等を充填し、墓石や墓碑、灯篭等が傷つくのを防止していた。
【０００３】
しかしながら、発泡スチロールや古紙等を再生して成形した緩衝材等は使用済みになると産業廃棄物となり、その取扱いに手間がかかる上、専門業者に金銭を払って処理を委託しなければならないといった課題があった。
また、木枠等と墓石や墓碑、灯篭等に応じて所望のサイズの木枠等を用意し、その木枠も繰り返し利用することができないため、産業廃棄物となり、その取扱いに手間がかかる上、専門業者に金銭を払って処理を委託しなければならず、いずれにしてもコストアップの原因となっていた。
さらに、梱包作業や開封時にかなりの手間がかかっていた。
【０００４】
他方、魚や肉類のような生鮮食料品を輸送する場合には、細かく砕いた氷を梱包体の隙間に充填していた。さらに、特開昭６１−１７０３２９号公報（特許文献１参照）のように、水筒内に入れた氷のような保冷材を用いて魚介類を休眠状態で輸送することも、すでに周知となっている。
【特許文献１】特開昭６１−１７０３２９号公報
【発明の開示】
【発明が解決しようとする課題】
【０００５】
しかしながら、墓石や墓碑、灯篭等の重量物を、木枠等や発泡スチロールや古紙等を再生して成形した緩衝材等を使用しないで搬送することが現実にはできないため、上述のような産業廃棄物の問題はなんら解決していない。
また、墓石や墓碑、灯篭等の重量物を収容した木枠の隙間に細かく砕いた氷を充填して搬送することはあまりにも現実離れした発想であり、そのような従来例を墓石や墓碑、灯篭等の重量物に搬送に適用することには無理があった。
そこで、この発明はかかる課題を解決しようとするもので、墓石や墓碑、灯篭等の重量物を、木枠等や発泡スチロールや古紙等を再生して成形した緩衝材等の使用を最小限にとどめて搬送することができ、しかも多くの備品を繰り返し使用することが可能で、梱包作業や開封作業を簡略化できるようにすることにより、極めて安価で、また環境にもやさしい石材等の重量物の搬送方法を提供することを目的とするものである。
【課題を解決するための手段】
【０００６】
すなわち、この発明に係る石材等の重量物の搬送方法は、パレット上に耐水性シート類を少なくとも２枚敷設し、その上に搬送対象物を搭載して第１の耐水性シート類で搬送対象物を包み込み、ついでパレットの周囲に側壁を組み立てて第２の耐水性シート類を側壁の内側に沿って立ち上げ、第２の耐水性シート類で漏水を防止した側壁内に凍結液を注入し、冷凍手段で搬送対象物を取り囲む凍結液を凍結させて得た、搬送対象物入り凍結ブロックを冷凍コンテナ等で搬送するようにしたことを特徴とするものである。
【０００７】
またこの発明に係る石材等の重量物の搬送方法は、パレット上に耐水性シート類を少なくとも２枚敷設し、その上に搬送対象物を搭載して第１の耐水性シート類で搬送対象物を包み込み、ついでパレットの周囲に側壁を組み立てて第２の耐水性シート類を側壁の内側に沿って立ち上げ、第２の耐水性シート類で漏水を防止した側壁内に凍結液を注入し、冷凍手段で搬送対象物を取り囲む凍結液を凍結させ、冷凍完了後に側壁を解体して得た搬送対象物入り凍結ブロックを冷凍コンテナ等で搬送するようにしたことをも特徴とするものである。
【０００８】
この発明に係る石材等の重量物の搬送方法は、上記第１の耐水性シート類で搬送対象物を包み込んだ際に、その内部の空気を吸引・脱気して第１の耐水性シート類を搬送対象物に密着させるようにしたことをも特徴とするものである。
【０００９】
この発明に係る石材等の重量物の搬送方法は、パレット上に搬送対象物を搭載した上、パレットの周囲を取り囲むように製氷枠を組み立て、予め所定の形状に成形した耐水性シート類で搬送対象物を上から被覆し、耐水性シート類で漏水を防止した側壁内に凍結液を注入し、冷凍手段で搬送対象物を取り囲む凍結液を凍結させ、その後製氷枠および外面に露出した耐水性シート類を取り除いて、搬送対象物入り凍結ブロックを冷凍コンテナ等で搬送するようにしたことをも特徴とするものである。
【００１０】
この発明に係る石材等の重量物の搬送方法は、搬送終了後は、自然解凍または強制解凍により凍結した凍結液を融解するようにしたことをも特徴とするものである。
【発明の効果】
【００１１】
以上述べたように、この発明の石材等の重量物の搬送方法は、墓石や墓碑、灯篭等の重量物を、木枠等や発泡スチロールや古紙等を再生して成形した緩衝材等の使用を最小限にとどめて搬送することができ、しかも多くの備品を繰り返し使用することができるようになった。
【００１２】
また、複数の種類の墓石や墓碑、灯篭等の重量物であっても規格化されたサイズに梱包して搬送することができようになったので、極めて安価であり、また長いスパンで見た場合、木材や発泡スチロール等の使用量の減少により自然環境にもやさしい石材等の重量物の搬送方法を提供することが可能となった。
【発明を実施するための最良の形態】
【００１３】
以下、この発明に係る石材等の重量物の搬送方法の実施の形態を図面に基いて詳細に説明する。
図面はこの発明の石材等の重量物の搬送方法の１実施例を示し、図１は工程１の斜視図、図２は工程２の斜視図、図３は工程３の斜視図、図４は工程４の斜視図、図５は工程５の斜視図、図６は工程６の斜視図、図７は工程７の斜視図、図８は工程８の斜視図、図９はこの発明の石材等の重量物の搬送方法の他の実施例を示し、工程１の斜視図、図１０は工程２の斜視図、図１１は工程３の斜視図、図１２は工程４の斜視図、図１３は工程５の斜視図、図１４は工程６の斜視図、図１５は工程７の斜視図である。
【００１４】
この発明の石材等の重量物の搬送方法の１実施例を示す図１において、１は墓石や墓碑、灯篭等の石材からなる搬送対象物であり、該搬送対象物１は１個または複数個を積み上げて、木製やアルミその他の金属製のパレット３上に搭載されている。
５，１３は防水処理を施した織物や、高強度ポリマーシート、あるいはそれらの複合シートからなる耐水性シート類であり、図１の工程１においてはパレット３上に少なくとも２枚敷設し、その上に搬送対象物１を搭載している。
【００１５】
図２の工程２においては、第１の耐水性シート類５で搬送対象物１を包み込み、その上で、耐水性シート類５内部の空気を真空吸引装置７を用いて吸引・脱気し、第１の耐水性シート類５を搬送対象物１に密着させるようになっている。９は真空吸引装置７に連結したホース、１０は第１の耐水性シート類５の適所に設けた逆止弁（図示せず）付きの吸引口である。
【００１６】
図３の工程３においては、パレット３の周囲に複数の側壁１１を組み立てて搬送対象物１の上部までを覆うようにし、また第２の耐水性シート類１３を側壁１１の内側に沿って立ち上げることにより、側壁１１が第２の耐水性シート類１３で内張りされた容器状をなすよう構成されている。
上記側壁１１の組立て構造としては、対向する一対の側壁１１にはめ込み溝を設けておき、他の一対の側壁１１をこのはめ込み溝にはめ込んだり、上下にＬ字状の金具をはめ込んだりすればよい。
【００１７】
図４の工程４においては、第２の耐水性シート類１３で漏水を防止した容器状の側壁１１内に凍結液１５を注入する。この凍結液１５は通常は水道水等で用が足りるが、迅速に凍結するような凍結補助剤を水道水に添加したり、水道水以外の液体を使用することもできる。
上記凍結液１５は、搬送対象物１の上部まで浸かるように側壁１１内に補給され、その後補給を終了する。
【００１８】
図５の工程５においては、側壁１１内において凍結液１５に浸け込まれた搬送対象物１を冷凍庫に移動させ、搬送対象物１を取り囲む凍結液１５を凍結させる。もちろん、この冷凍手段は、冷凍庫であってもそれ以外の液中に投入するタイプの冷凍機であってもよく、現場の状況に応じて適宜選択することができる。
【００１９】
図６の工程６においては、冷凍完了後に側壁１１を解体した状態を示している。側壁１１の解体は、搬送対象物１入りの凍結ブロックが第２の耐水性シート類１３で覆われており、吸着することがないので簡単に行なうことができる。
もちろん、凍結ブロックからの第２の耐水性シート類１３の剥離も簡単である。
【００２０】
図７の工程７においては、冷凍完了後に側壁１１を解体した上、パレット３の余分な周囲を切断している状態を示している。このようにすると、搬送対象物１入りの凍結ブロックが突起物のない立方体ないし直方体となり、冷凍コンテナ等で搬送する際に極めてコンパクトに収納することが可能となるのである。
【００２１】
図８の工程８においては、工程７で得た搬送対象物１入りの凍結ブロックを示し、この状態で冷凍コンテナ等に収納して搬送するのである。
【００２２】
この実施例に係る石材等の重量物の搬送方法においては、搬送終了後において搬送対象物１入りの凍結ブロックは、自然解凍または強制解凍により凍結した凍結液を融解して、難なく取り出すことができる。
【００２３】
この発明の石材等の重量物の搬送方法の他の実施例を図９ないし図１５に示す。
この実施例においては、パレット上に搬送対象物を搭載した上、パレットの周囲を取り囲むように製氷枠を組み立て、予め所定の形状に成形した耐水性シート類で搬送対象物を上から被覆し、耐水性シート類で漏水を防止した側壁内に凍結液を注入し、冷凍手段で搬送対象物を取り囲む凍結液を凍結させ、その後製氷枠および外面に露出した耐水性シート類を取り除いて、搬送対象物入り凍結ブロックを冷凍コンテナ等で搬送するようにしたことを特徴とする。
【００２４】
図９において、２１は墓石や墓碑、灯篭等の石材からなる搬送対象物であり、該搬送対象物２１は１個または複数個を積み上げて、木製やアルミその他の金属製のパレット２３上に搭載されている。
【００２５】
図１０の工程２においては、パレット２３の周囲を取り囲むように複数の側壁２７からなる製氷枠２５を組み立て、上面を開放している。
上記製氷枠２５の組立て構造としては、対向する一対の側壁２７にはめ込み溝を設けておき、他の一対の側壁２７をこのはめ込み溝にはめ込んだり、上下にＬ字状の金具をはめ込んだりすればよい。
【００２６】
図１１の工程３においては、予め搬送対象物２１の上部にすっぽりはめ込めるように成形した所定の形状の耐水性シート類２９を製氷枠２５の上から被せ、製氷枠２５の内壁から搬送対象物２１の上部まで耐水性シート類２９で被覆している。
【００２７】
図１２の工程４においては、耐水性シート類２９上に凍結液３１を注入する。この凍結液３１は通常は水道水等で用が足りるが、迅速に凍結するような凍結補助剤を水道水に添加したり、水道水以外の液体を使用することもできる。
上記凍結液３１は、搬送対象物２１の上部まで浸かるように製氷枠２５内に補給され、その後補給を終了する。
【００２８】
図１３の工程５においては、製氷枠２５内において凍結液３１に浸け込まれた搬送対象物２１を冷凍庫に移動させ、搬送対象物２１を取り囲む凍結液３１を凍結させる。もちろん、この冷凍手段は、冷凍庫であってもそれ以外の液中に投入するタイプの冷凍機であってもよく、現場の状況に応じて適宜選択することができる。
【００２９】
図１４の工程６においては、冷凍完了後に製氷枠２５を解体した状態を示している。製氷枠２５の解体は、搬送対象物２１入りの凍結ブロックが耐水性シート類２９で覆われており、吸着することがないので簡単に行なうことができる。
もちろん、凍結ブロックから外面に露出した耐水性シート類２９も取り除く。この耐水性シート類２９の剥離も簡単である。
【００３０】
図１５の工程７においては、上記工程を経て得られた搬送対象物２１入りの凍結ブロックを示し、この状態で冷凍コンテナ等に収納して搬送するのである。
【００３１】
この実施例に係る石材等の重量物の搬送方法においても、搬送終了後において搬送対象物２１入りの凍結ブロックは、自然解凍または強制解凍により凍結した凍結液を融解して、難なく取り出すことができる。
【産業上の利用可能性】
【００３２】
以上のように構成された、この発明の石材等の重量物の搬送方法は、墓石や墓碑、灯篭等の石材のみならず、他の重量物や凍結に支障のないものであれば、それ以外の搬送対象物にも適用することができる。
【図面の簡単な説明】
【００３３】
【図１】この発明の石材等の重量物の搬送方法の１実施例を示し、工程１の斜視図である。
【図２】工程２の斜視図である。
【図３】工程３の斜視図である。
【図４】工程４の斜視図である。
【図５】工程５の斜視図である。
【図６】工程６の斜視図である。
【図７】工程７の斜視図である。
【図８】工程８の斜視図である。
【図９】この発明の石材等の重量物の搬送方法の他の実施例を示し、工程１の斜視図である。
【図１０】工程２の斜視図である。
【図１１】工程３の斜視図である。
【図１２】工程４の斜視図である。
【図１３】工程５の斜視図である。
【図１４】工程６の斜視図である。
【図１５】工程７の斜視図である。
【符号の説明】
【００３４】
１  搬送対象物
３  パレット
５，６  耐水性シート類
７  真空吸引装置
９  ホース
１０  吸引口
１１  側壁
１３  第２の耐水性シート類
１５  凍結液
２１  搬送対象物
２３  パレット
２５  製氷枠
２７  側壁
２９  耐水性シート類
３１  凍結液
【図１】
2006044792.tif 000003
【図２】
2006044792.tif 000004
【図３】
2006044792.tif 000005
【図４】
2006044792.tif 000006
【図５】
2006044792.tif 000007
【図６】
2006044792.tif 000008
【図７】
2006044792.tif 000009
【図８】
2006044792.tif 000010
【図９】
2006044792.tif 000011
【図１０】
2006044792.tif 000012
【図１１】
2006044792.tif 000013
【図１２】
2006044792.tif 000014
【図１３】
2006044792.tif 000015
【図１４】
2006044792.tif 000016
【図１５】
2006044792.tif 000017